(57)【特許請求の範囲】
【請求項１】
交流電源と第１の整流回路間に接続されたリレーと、このリレーを駆動するための駆動コイルとを有する主電源スイッチと、
前記主電源スイッチの投入によって前記第１の整流回路からの整流電圧が供給され、第１の電源電圧を生成する第１の電源回路と、
前記第１の電源回路からの第１の電源電圧によって動作する負荷回路と、
前記交流電源に接続された第２の整流回路を含み、第２の電源電圧を生成する第２の電源回路と、
前記第２の電源電圧が動作電圧として供給されるとともに、発光素子と前記駆動コイルとの直列回路、及びこの直列回路を流れる電流を制御して前記リレーのオンオフ及び前記発光素子の表示を制御するスイッチング素子とを含む駆動回路と、
前記第２の電源電圧によって動作し、前記スイッチング素子のオンオフを制御する制御信号を発生する制御回路とを具備してなることを特徴とする電源装置。
【請求項２】
前記スイッチング素子は前記直列回路と直列にコレクタ・エミッタ路が接続された第１のトランジスタで成り、前記制御回路からの制御信号がベースに供給され、この制御信号に応答して前記トランジスタをオンオフするようにしたことを特徴とする請求項１記載の電源装置。
【請求項３】
前記駆動回路は、前記主電源スイッチをオフからオンに移行する所定期間に、前記駆動コイルに前記リレーをオン駆動するための初期電流を供給する手段を含み、前記所定期間経過後には前記初期電流よりも小さい電流を前記発光素子を介して前記駆動コイルに供給することを特徴とする請求項１記載の電源装置。
【請求項４】
前記制御回路は、リモコンからの電源オンオフの指令に従って前記制御信号を発生するマイクロコンピュータで成ることを特徴とする請求項１記載の電源装置。
【請求項５】
前記発光素子はＬＥＤであることを特徴とする請求項１記載の電源装置。
【請求項６】
通常動作モードと待機モードとで動作可能な電子機器において、
交流電源と第１の整流回路間に接続されたリレーと、このリレーを駆動するための駆動コイルとを有する主電源スイッチと、
前記主電源スイッチの投入によって前記第１の整流回路からの整流電圧が供給され、第１の電源電圧を生成する主電源回路と、
前記主電源回路からの第１の電源電圧によって動作する負荷回路と、
前記交流電源に接続された第２の整流回路を含み、第２の電源電圧を生成する待機電源回路と、
前記第２の電源電圧が動作電圧として供給されるとともに、発光素子と前記駆動コイルとの直列回路、及びこの直列回路を流れる電流を制御して前記リレーのオンオフ及び前記発光素子の表示を制御するスイッチング素子とを含む駆動回路と、
前記第２の電源電圧によって動作するマイクロコンピュータを含み、このマイクロコンピュータからの制御信号に応答して、通常動作モード時には前記直列回路に電流を供給し、待機モード時には前記直列回路への電流供給を停止するように前記スイッチング素子を制御する制御回路とを具備してなることを特徴とする電源装置。
【請求項７】
前記マイクロコンピュータは、リモコンからの電源オンオフの指令に従って前記スイッチング素子をオンオフ制御する制御信号を発生することを特徴とする請求項６記載の電源装置。
【請求項８】
前記第２の電源電圧が動作電圧として供給され、前記待機モード時に発光する第２の発光素子を有することを特徴とする請求項６記載の電源装置。
【請求項９】
通常動作モードと待機モードとで動作可能な電子機器において、
交流電源と第１の整流回路間に接続されたリレーと、このリレーを駆動するための駆動コイルとを有する主電源スイッチと、
前記主電源スイッチの投入によって前記第１の整流回路からの整流電圧が供給され、第１の電源電圧を生成する主電源回路と、
前記主電源回路からの第１の電源電圧によって動作する負荷回路と、
前記交流電源に接続された第２の整流回路を含み、第２の電源電圧を生成する待機電源回路と、
前記第２の電源電圧が動作電圧として供給されるとともに、発光素子と前記駆動コイルとの直列回路と、この直列回路を流れる電流を制御して前記リレーのオンオフ及び前記発光素子の表示を制御するスイッチング素子、及び前記主電源スイッチをオフからオンに移行する所定期間に前記駆動コイルに初期電流を供給する手段とを含む駆動回路と、
前記第２の電源電圧によって動作するマイクロコンピュータを含み、このマイクロコンピュータからの制御信号に応答して前記初期電流供給手段及び前記スイッチング素子を制御し、前記待機モード時には前記直列回路への電流供給を停止し、前記通常動作モードへの以降時には前記駆動コイルに初期電流を流して前記リレーをオンにし前記所定期間経過後には前記初期電流よりも小さい電流を前記直列回路に供給する制御回路とを具備してなることを特徴とする電源装置。
【請求項１０】
前記初期電流供給手段は、前記第２の電源回路から前記駆動コイルに電流を供給するための第２のスイッチング素子にて成り、前記制御回路からの制御信号に応答して、前記待機モードから通常動作モードへ移行する所定期間に前記第２のスイッチング素子をオンするようにしたことを特徴とする請求項９記載の電源装置。
【発明の詳細な説明】
【０００１】
【発明の属する技術分野】
本発明は、電源装置に関し、特にリモコン操作により待機モードと通常動作モードで動作可能なテレビジョン受像機等の電子機器において、通常動作モードでの省電力化を図った電源装置である。
【０００２】
【従来の技術】
従来の電子機器、例えばテレビジョン受像機では、リモコン（リモートコントローラ）の操作により、主電源スイッチのオンオフをコントロール可能にしている。主電源スイッチがオンのときには商用交流電源からの電圧を整流し、電源回路から所定の動作電圧を発生し、映像回路や音声回路等を動作させ、通常の動作を行うようにしている。
【０００３】
また、待機モード時には、前記主電源スイッチをオフにして、主要負荷（前記映像回路や音声回路等）を非動作状態にする一方、リモコン受光回路やマイコン（マイクロコンピュータ）等に低電圧（例えば５Ｖ）の電源電圧を供給し、必要最小限の回路のみが動作するようにしており、消費電力を低減するようにしている。そして上記待機モード時において、リモコンから電源オンの指示があった場合、マイコンはその指示に基いて前記主電源スイッチをオンさせ、テレビジョン受像機を再び動作させるようにしている。
【０００４】
また、上記通常動作モードと待機モードにおいては、それらのモードをユーザに知らせるために、ＬＥＤ等の表示素子を発光させている。例えば通常動作時には赤色のＬＥＤを点灯させ、待機モードでは緑色のＬＥＤを点灯させるようにしている。
【０００５】
しかしながら、上記ＬＥＤは通常動作モードと待機モードの期間、常時点灯させているため消費電力が増加するという欠点がある。ＬＥＤ個々の消費電力自体はそれほど大きくはないが、長時間表示していると消費電力もばかにならず、累積電力が増加してしまう。特に、省エネが叫ばれている昨今では、極力電力を減らす必要性が高くなっている。
【０００６】
このような事情に鑑み、例えば特開平１１−２８９５０２号公報には、主電源がオンで映像が出力されているときにはパイロットランプ（ＬＥＤ）を消灯させ、映像信号がない場合にはＣＲＴ画面上にオンスクリーン文字を表示するようにし、映像が表示されている場合のＬＥＤの点灯を停止して消費電力を低減するようにしたテレビジョン受像機の例が記載されている。即ち映像信号及び同期信号の有無を判別して映像が表示されていないことを検出したときだけは、オンスクリーン表示によりその旨を知らせるようにしたものである。
【０００７】
しかしながら、このような例では、高圧発生回路に異常をきたし、ＣＲＴに何も表示されない場合であって、映像信号や同期信号は正常に出力されているような場合には、画面上には何らオンスクリーン表示もされず、またパイロットランプ（ＬＥＤ）も点灯しないため、ユーザは故障に気づかず、受像機がオフであると誤った判断をしてしまい、重大な事態を招くことにもなる。
【０００８】
【発明が解決しようとする課題】
以上述べたように、従来の電源装置では通常動作モードと待機モードの期間、常時ＬＥＤを点灯させているため消費電力が増加するという欠点がある。また主電源がオンで映像が出力されているときにＬＥＤを消灯させるものでは、映像信号が入力されているにも拘らず高圧発生回路に異常をきたした場合、何も表示されないため、電源オフと誤認してしまう可能性がある。
【０００９】
本発明は、電源の動作モードをＬＥＤ等の発光により表示するとともに、待機電源回路の消費電力の削減を可能とした電源装置を提供することを目的とする。
【００１０】
【課題を解決するための手段】
請求項１記載の発明は、交流電源と第１の整流回路間に接続されたリレーと、このリレーを駆動するための駆動コイルとを有する主電源スイッチと、
前記主電源スイッチの投入によって前記第１の整流回路からの整流電圧が供給され、第１の電源電圧を生成する第１の電源回路と、
前記第１の電源回路からの第１の電源電圧によって動作する負荷回路と、
前記交流電源に接続された第２の整流回路を含み、第２の電源電圧を生成する第２の電源回路と、
前記第２の電源電圧が動作電圧として供給され、発光素子と前記駆動コイルとの直列回路、及びこの直列回路を流れる電流を制御して前記リレーのオンオフ及び前記発光素子の表示を制御するスイッチング素子とを含む駆動回路と、
前記第２の電源電圧によって動作し、前記スイッチング素子のオンオフを制御する制御信号を発生する制御回路とを具備してなることを特徴とする電源装置である。
【００１１】
請求項１の発明によれば、駆動コイルに流れる電流を制御することにより、主電源スイッチをオンオフすることができ、また発光素子には駆動コイルが直列に接続されているため、この駆動コイルによる電流制限作用により、発光素子を流れる電流量を抑えることができる。
【００１２】
また請求項６記載の発明は、通常動作モードと待機モードとで動作可能な電子機器において、
交流電源と第１の整流回路間に接続されたリレーと、このリレーを駆動するための駆動コイルとを有する主電源スイッチと、
前記主電源スイッチの投入によって前記第１の整流回路からの整流電圧が供給され、第１の電源電圧を生成する主電源回路と、
前記主電源回路からの第１の電源電圧によって動作する負荷回路と、
前記交流電源に接続された第２の整流回路を含み、第２の電源電圧を生成する待機電源回路と、
前記第２の電源電圧が動作電圧として供給され、発光素子と前記駆動コイルとの直列回路、及びこの直列回路を流れる電流を制御して前記リレーのオンオフ及び前記発光素子の表示を制御するスイッチング素子とを含む駆動回路と、
前記第２の電源電圧によって動作するマイクロコンピュータを含み、このマイクロコンピュータからの制御信号に応答して、通常動作モード時には前記直列回路に電流を供給し、待機モード時には前記直列回路への電流供給を停止するように前記スイッチング素子を制御する制御回路とを具備してなることを特徴とする電源装置である。
【００１３】
請求項６の発明においても、駆動コイルに流れる電流を制御することにより、主電源スイッチをオンオフすることができ、また発光素子には駆動コイルが直列に接続されているため、この駆動コイルによる電流制限作用により、発光素子を流れる電流量を抑えることができる。
【００１４】
さらに請求項９記載の電源装置は、通常動作モードと待機モードとで動作可能な電子機器において、
交流電源と第１の整流回路間に接続されたリレーと、このリレーを駆動するための駆動コイルとを有する主電源スイッチと、
前記主電源スイッチの投入によって前記第１の整流回路からの整流電圧が供給され、第１の電源電圧を生成する主電源回路と、
前記主電源回路からの第１の電源電圧によって動作する負荷回路と、
前記交流電源に接続された第２の整流回路を含み、第２の電源電圧を生成する待機電源回路と、
前記第２の電源電圧が動作電圧として供給されるとともに、発光素子と前記駆動コイルとの直列回路と、この直列回路を流れる電流を制御して前記リレーのオンオフ及び前記発光素子の表示を制御するスイッチング素子、及び前記主電源スイッチをオフからオンに移行する所定期間に前記駆動コイルに初期電流を供給する手段とを含む駆動回路と、
前記第２の電源電圧によって動作するマイクロコンピュータを含み、このマイクロコンピュータからの制御信号に応答して前記初期電流供給手段及び前記スイッチング素子を制御し、前記待機モード時には前記直列回路への電流供給を停止し、前記通常動作モードへの以降時には前記駆動コイルに初期電流を流して前記リレーをオンにし前記所定期間経過後には前記初期電流よりも小さい電流を前記直列回路に供給する制御回路とを具備してなることを特徴とする。
【００１５】
請求項９の発明においては、主電源スイッチをオンする初期において、前記駆動コイルに初期電流を供給してリレーをオンにし、その後は発光素子及び駆動コイルの直列回路を介して電流を流すことで発光素子を流れる電流量を抑えることができる。
【００１６】
【発明の実施の形態】
以下、発明の実施の形態について図面を参照して説明する。図１は本発明の一実施形態の電源装置を示すブロック図であり、テレビジョン受像機に適用した例を示す回路図である。
【００１７】
図１において、１は商用交流電源（ＡＣ）に接続するための電源プラグであり、このプラグ１はラインフィルタ２を介して整流回路３に接続されている。前記整流回路３の一方の入力端とラインフィルタ２間には、主電源スイッチ４が設けられており、このスイッチ４をオンすることによって、受像機は動作可能になる。
【００１８】
また、前記ラインフィルタ２の出力側には、待機電源回路５が接続され、その待機電源回路５に含まれるレギュレータ回路６から例えば５Ｖ程度の低電圧＋Ｂ１を得るようにしている。この待機電源回路５は、電源トランス５１と、このトランス５１からの交流電圧を整流する整流回路５２と、この整流回路５２からの整流出力を平滑する平滑コンデンサＣ１と、このコンデンサＣ１により平滑された直流電圧を安定化して出力するレギュレータ回路６、及び平滑コンデンサＣ２とから構成されている。
【００１９】
この待機電源回路５からの電圧＋Ｂ１は、マイコン７及びリモコン受光回路８に供給され、主電源スイッチ４がオフであってもこれらマイコン７やリモコン受光回路８に動作電圧が供給されるようにしている。このような状態を一般的には待機モード又はスタンバイモードと言い、リモコン９からの送信信号をいつでも受光し、かつ処理できるようにしている。
【００２０】
また、前記整流回路３の出力電圧は、主電源回路１０に供給され、この主電源回路１０から、映像回路１１、音声回路１２、偏向回路１３等へ所定の動作電圧を供給するようにしている。
【００２１】
前記主電源スイッチ４は、例えばリレー４１と、リレー４１をオンオフするための駆動コイル４２を有し、この駆動コイル４２に電流を流すことでリレー４１をオンするようにしている。駆動コイル４２の一端は、抵抗Ｒ１及び発光素子であるＬＥＤ１４の直列回路を介して＋Ｂ１電源に接続され、他端はトランジスタ１５を介して接地している。トランジスタ１５は上記直列回路へ電流を流したり、電流供給を停止するための駆動回路を形成している。
【００２２】
また、抵抗Ｒ１とＬＥＤ１４の直列回路と並列にトランジスタ１６が接続されている。これらトランジスタ１５，１６は前記マイコン７からの制御信号によってスイッチング動作し、主電源スイッチ４のオンオフ動作を行う。また、トランジスタ１５のオンとトランジスタ１６のオフによりＬＥＤ１４が発光し、動作モードにあることを表示する。
【００２３】
また、＋Ｂ１電源と接地間には、抵抗Ｒ２とＬＥＤ１７及びトランジスタ１８の直列回路が接続され、さらにこの直列回路と並列に抵抗Ｒ３とＬＥＤ１９及びトランジスタ２０の直列回路が接続されている。これらトランジスタ１８，２０は、前記マイコン７からの制御信号によってスイッチング動作し、ＬＥＤ１７，１９の発光により待機モード等を表示する。なお、図１ではラインフィルタ２と整流回路５との間に手動電源スイッチ２１を設け、この電源スイッチ２１をオフすることにより、受像機すべての動作を停止することができるようにしている。
【００２４】
図２は、前記主電源スイッチ４の構成を示す概念図であり、リレー４１は、固定接点４１ａと可動接点リレー４１ｂにて成り、駆動コイル４２は、鉄心４２ａに巻かれたコイル４２ｂと、ヨーク４２ｃ、アマチュア４２ｄ、及び前記可動接点４１ｂを動かすカード４２ｅとから成っている。
【００２５】
前記コイル４２ｂにはスイッチＳＷを介して電源Ｅが接続されており、スイッチＳＷをオンすることによりコイル４２ｂに電流が流れ、鉄心４２ａに磁束が生じ、アマチュア４２ｄを吸引する。これにより、アマチュア４２ｄの動きがカード４２ｅに伝えられ、可動接点４１ｂが変位して固定接点４１ａと接触し、リレー４１がオンすることになる。また、スイッチＳＷをオフにすれば、鉄心４２ａの磁束がなくなるため、アマチュア４２ｄは元の状態に復帰し、可動接点４１ｂと固定接点４１ａの接触状態が解除され、リレー４１はオフすることになる。尚、図２の電源Ｅは，図１の待機電源５に対応し、スイッチＳＷはトランジスタ１５に対応する。
【００２６】
次にこのような電源装置の動作を図３を参照して説明する。まず、電源スイッチ２１がオンの状態で受像機が待機モードにあるとき（タイミングｔ０−ｔ１）、主電源スイッチ４はオフであり、主電源回路１０はオフしている。一方、待機電源回路５のレギュレータ回路６からは例えば５Ｖ程度の電圧＋Ｂ１が得られる。このレギュレータ回路６からの＋Ｂ１電圧はマイコン７及びリモコン受光回路８に供給され、マイコン７及びリモコン受光回路８は動作状態にあり、リモコン９からの送信信号を受光可能になっている。
【００２７】
この状態において、図３のタイミングｔ１でリモコン９から電源オンの操作が成されると、トランジスタ１５のベースにはマイコン７からハイレベルの信号Ｓ１が供給され、トランジスタ１５はオンとなる。また同時にトランジスタ１６のベースにマイコン７からハイレベルの信号Ｓ２が供給される。この信号Ｓ２はタイミングｔ２までの初期の短期間（例えば１０〜１５mSec）だけハイレベルを呈する。これにより、ｔ１からｔ２の初期に、＋Ｂ１電源からトランジスタ１６、駆動コイル４２、トランジスタ１５を介して初期電流が流れ、駆動コイル４２に流れる電流によってリレー４１がオンするため、主電源スイッチ４がオンになる。
【００２８】
タイミングｔ２になると信号Ｓ２はローレベルとなり、トランジスタ１６はオフとなるが、ｔ２以降は、＋Ｂ１電源から抵抗Ｒ１、ＬＥＤ１４及び駆動コイル４２、トランジスタ１５を介して電流が流れるため、駆動コイル４２には電流が流れ続け、リレー４１はオン状態を持続する。
【００２９】
したがって、主電源スイッチ４はオンのままであり、整流回路３からの整流出力電圧が主電源回路１０に供給され、この主電源回路１０からの電源電圧によって映像回路１１、音声回路１２、偏向回路１３等が動作し、受像機は通常の動作モードとなる。
【００３０】
このように、主電源スイッチ４のオン操作の直後（期間t1−t2）には、トランジスタ１６を介して駆動コイル４２に大きな初期電流（例えば３０ｍＡ）が流れるため、リレー４１を確実にオンにすることができる。期間ｔ２の経過後はトランジスタ１６はオフとなり、抵抗Ｒ１、ＬＥＤ１４を介して駆動コイル４２に電流が流れ、ＬＥＤ１４が発光するため、受像機が動作モードにあることを表示することになる。
【００３１】
また動作モード時には、ＬＥＤ１４、駆動コイル４２、トランジスタ１５を介して電流が流れるため、駆動コイル４２がＬＥＤ１４の電流制限インピーダンスとして作用し、ＬＥＤ１４を流れる電流を例えば１５ｍＡ程度に抑え、消費電流を削減することができる。また、駆動コイル４２にかかる電圧も低くなるため、駆動コイル４２で消費する電力を低減することができ、かつ駆動コイル４２の温度上昇を抑え、この駆動コイル４２の抵抗値変化を押さえることができる。
【００３２】
なお、通常動作モードにおいて、駆動コイル４２には最初（期間t1−t2）に大きな電流が流れ、その後（ｔ２以降）、電流が例えば半分に低下するが、主電源スイッチ４はオン状態を維持することができ、特に支障をきたすことはない。即ち主電源スイッチ４は、図２にて説明した構成を有するものであり、オフからオンの過渡状態に必要な電圧（これをリレー用語では感動電圧と称している）は、ある程度高い電圧を必要とするため、トランジスタ１６をオンさせて＋Ｂ１からの電圧を直接駆動コイル４２に供給するようにしている。一方、過渡状態を経過した後は感動電圧の半分程度の電圧であってもリレー４１はオン状態を維持することができるため、抵抗Ｒ１、ＬＥＤ１４、駆動コイル４２、トランジスタ１５を介して電流を流すようにし、駆動コイル４２にかかる電圧を低く抑え、かつ駆動コイル４２が電流制限インピーダンスとして作用し、ＬＥＤ１４を流れる電流を抑え消費電流を削減するようにしている。
【００３３】
したがって、通常動作モードにおいて待機電源回路５からＬＥＤ１４と駆動コイル４２へ供給する電流は、低く抑えることができ待機電源回路５の消費電力を削減することができる。
【００３４】
次に待機モードに移行した場合について説明する。受像機が動作モードにあるとき、図３のタイミングｔ３でリモコン９から電源オフの操作が成されると、マイコン７からトランジスタ１５のベースに供給される信号Ｓ１はローレベルに転じ、トランジスタ１５はオフとなる。このため、駆動コイル４２の電流も流れなくなり、リレー４１がオフとなり、主電源スイッチ４はオフになる。
【００３５】
したがって、整流回路３及び主電源回路１０の動作が停止し、負荷回路である映像回路１１、音声回路１２、偏向回路１３等も動作を停止する。またこのとき、ＬＥＤ１４にも電流が流れなくなるため、ＬＥＤ１４は消灯する。これに代わってマイコン７からトランジスタ１８のベースにハイレベルの信号Ｓ３が供給されるようになり、トランジスタ１８がオンになるため、＋Ｂ１電源から抵抗Ｒ２を介してＬＥＤ１７に電流が流れるようになり、待機モードであることを表示する。
【００３６】
またトランジスタ２０には、タイマー予約がされている場合にハイレベルの信号が供給され、トランジスタ２０がオンすることでＬＥＤ１９がオンとなり、タイマー予約が有ることを表示するようにしている。なお、トランジスタ２０やＬＥＤ１９と同等の回路を追加することにより、受像機の他の状態を表示することができる。
【００３７】
このように、本発明では駆動コイル４２を介してＬＥＤ１４に電流を流すようにしているため、駆動コイル４２の電流制限作用により、ＬＥＤ１４に流れる電流量を抑えることができる。しかも駆動コイル４２は主電源スイッチ４を構成するものであるため、他の電流制限素子を追加する必要はなく、回路を簡素化することができる。
【００３８】
即ち、従来一般の電源装置では、主電源スイッチをオンオフする回路と、ＬＥＤの表示回路とが別々に構成されているため、動作モード時には各回路にそれぞれ電流が流れ、待機電源回路の電流量が増加していたが、図１の回路では、主電源スイッチ４１をオンオフする回路とＬＥＤ１４の駆動回路が一体化され、かつ駆動コイル４２の電流制限作用により、待機電源回路５の電流量を従来一般の回路に比べて半分程度に低減することができる。したがって待機電源回路の消費電力を削減することができる。
【００３９】
また、駆動コイル４２には抵抗Ｒ１とＬＥＤ１４を介して電圧が供給されるため、駆動コイル４２にかかる電圧を低下することができる。これにより、駆動コイル４２の発熱量も低下するため、コイルの温度上昇が抑えられ、温度上昇に伴う抵抗値の変化も少なくなり、リレー４１の制御を安定化することができる。
【００４０】
なお、以上の説明では、ＬＥＤを利用してモード表示を行う例を述べたが、他の発光素子を使用しても良いことは言うまでもない。
【００４１】
【発明の効果】
以上のように本発明の電源装置によれば、主電源スイッチ４の駆動コイル４２をＬＥＤ１４の電流制限抵抗として利用することができ、主電源スイッチ４のオン動作時（通常動作時）のＬＥＤ１４及び駆動コイル４２による消費電力を低減することができ、待機電源回路５の消費電力を削減することができる。
【図面の簡単な説明】
【図１】本発明の一実施の形態による電源装置を示す回路図。
【図２】本発明において使用する主電源スイッチの例を示す概念図。
【図３】本発明の動作を説明するための信号波形図。
【符号の説明】
１…電源プラグ
３…整流回路
４…主電源スイッチ
４１…リレー
４２…駆動コイル
５…第２の整流回路
６…レギュレータ
７…マイクロコンピュータ
８…リモコン受光器
９…リモコン
１０…電源回路
１１，１２，１３…負荷回路
１４，１７，１９…ＬＥＤ
１５，１６，１８，２０…トランジスタ
【図１】
0004090745.tif 000002
【図２】
0004090745.tif 000003
【図３】
0004090745.tif 000004